(57)【要約】【課題】高温時における再生情報の品質低下を防ぐことのできる光情報再生装置、光情報再生方法、及びビデオカメラを提供する。【解決手段】光ディスクＡに記録された情報を読み取るピックアップ５５と、前記情報を一時的に記憶するカメラバッファ４３と、内部温度を測定する温度センサ５８と、カメラバッファ４３内の情報量がバッファマージン以上のときにピックアップ５５を停止し、バッファマージン未満のときにピックアップ５５を駆動するサーボ制御回路５３と、測定された内部温度に基づいて、バッファマージンを設定するドライブコントローラ５９とを備える。【選択図】図１
2009266307.tif 000002
【特許請求の範囲】
【請求項１】
光情報記録媒体に記録された情報を読み取る読取部と、
前記情報を一時的に記憶するバッファメモリと、
内部温度を測定する温度測定部と、
前記バッファメモリ内の情報量がしきい値以上のときに前記読取部を停止し、前記しきい値未満のときに前記読取部を駆動する駆動制御部と、
測定された前記内部温度に基づいて、前記しきい値を設定する設定部とを備える
ことを特徴とする光情報再生装置。
【請求項２】
前記設定部は、測定された前記内部温度が所定温度以上のときに、設定した前記しきい値を減少する
ことを特徴とする請求項１に記載の光情報再生装置。
【請求項３】
前記設定部は、測定された前記内部温度が所定温度未満のときに、設定した前記しきい値を増加する
ことを特徴とする請求項１に記載の光情報再生装置。
【請求項４】
光情報記録媒体に記録された情報を読み取る読取部により前記情報を読み取る第１ステップと、
情報を一時的に記憶するバッファメモリに前記情報を記憶する第２ステップとを備え、
前記第１ステップは、
内部温度を測定する温度測定ステップと、
前記バッファメモリ内の情報量がしきい値以上のときに前記読取部を停止し、前記しきい値未満のときに前記読取部を駆動する駆動制御ステップと、
測定された前記内部温度に基づいて、前記しきい値を設定する設定ステップとを含む
ことを特徴とする光情報再生方法。
【請求項５】
前記設定ステップは、測定された前記内部温度が所定温度以上のときに、設定した前記しきい値を減少するステップを含む
ことを特徴とする請求項４に記載の光情報再生方法。
【請求項６】
前記設定ステップは、測定された前記内部温度が所定温度未満のときに、設定した前記しきい値を増加するステップを含む
ことを特徴とする請求項４に記載の光情報再生方法。
【請求項７】
請求項１に記載の光情報再生装置を備える
ことを特徴とするビデオカメラ。
【発明の詳細な説明】
【技術分野】
【０００１】
本発明は、光ディスクに記録された情報を再生する光情報再生装置、光情報再生方法、及びビデオカメラに関するものである。
【背景技術】
【０００２】
従来、この種の光ディスク情報記録再生装置として、装置内部の温度を測定する温度センサを備え、温度センサで測定した数値を基に、光ディスクに情報を記録する際のレーザ照射パワーの強度を変化させ、ディスクが装着された直後の不安定な状態であっても、媒体の状態をチェックし、情報が十分なマージンを有して確実に記録されたことを確認するようにしたものが知られている（例えば、特許文献１参照）。
【特許文献１】特開平５−１２８５２５号公報
【発明の開示】
【発明が解決しようとする課題】
【０００３】
一方、光情報再生装置を備える従来のビデオカメラでは、バッファメモリを有しており、光情報再生装置が光ディスクから読み取った再生情報をバッファメモリに蓄え、バッファメモリの再生情報を読み出してモニタ等に出力し、バッファメモリに蓄えられた再生情報が所定量まで減少すると、光情報再生装置は、再び光ディスクから情報を読み取ってバッファメモリに蓄えている。このようにして、光情報再生装置が光ディスクの情報を読み取るときに、振動や衝撃、又は光ディスクに付着した指紋やゴミ等により読み取りエラーが発生して再生情報が途切れた場合でも、バッファメモリに再生情報を蓄えておくことで連続再生を可能にしている。また、光ディスクから情報を読み取るときに光情報再生装置を駆動し、バッファメモリの再生情報が所定量に減少するまで光情報再生装置を停止させ、光情報再生装置を間欠的に駆動（以下、間欠駆動という）することで、光情報再生装置における消費電力を低減し、光情報再生装置の内部温度の上昇を防止して機能低下を防いでいる。
【０００４】
しかしながら、近年の光情報再生装置では、多機能化、大容量化、処理高速化の要求によって搭載されるＬＳＩ（Large Scale Integration circuit）数が増加し、また、ＬＳＩ１つあたりの発熱量も増加してため、稼働時に従来よりも内部温度が上昇する傾向にある。特に、光情報再生装置を備えるビデオカメラにおいては、小型化が求められるため、内部温度がさらに上昇する傾向にあり、間欠駆動をしたとしても内部温度の上昇を十分に防止することができない場合があった。また、外部温度が高い環境での使用によって光情報再生装置の内部温度が高い場合や、光情報再生装置の長時間使用や連続使用等によって光情報再生装置の内部温度が高い場合においては、内部温度を低下させ、光情報再生装置の機能低下、特に再生情報の品質低下を防ぐ必要があるという問題点があった。
【０００５】
本発明は前記問題点に鑑みてなされたものであり、その目的とするところは、高温時における再生情報の品質低下を防ぐことのできる光情報再生装置、光情報再生方法、及びビデオカメラを提供することにある。
【課題を解決するための手段】
【０００６】
本発明は前記目的を達成するために、光情報記録媒体に記録された情報を読み取る読取部と、前記情報を一時的に記憶するバッファメモリと、内部温度を測定する温度測定部と、前記バッファメモリ内の情報量がしきい値以上のときに前記読取部を停止し、前記所定量未満のときに前記読取部を駆動する駆動制御部と、測定された前記内部温度に基づいて、前記しきい値を設定する設定部とを備える光情報再生装置を提案する。
【０００７】
この光情報再生装置によれば、測定された内部温度に基づいて、しきい値が設定されるので、例えば内部温度が高温時に、常温時よりもしきい値を減少することが可能となる。
【０００８】
また、本発明は前記目的を達成するために、光情報記録媒体に記録された情報を読み取る読取部により前記情報を読み取る第１ステップと、情報を一時的に記憶するバッファメモリに前記情報を記憶する第２ステップとを備え、前記第１ステップは、内部温度を測定する温度測定ステップと、前記バッファメモリ内の情報量がしきい値以上のときに前記読取部を停止し、前記しきい値所定量未満のときに前記読取部を駆動する駆動制御ステップと、測定された前記内部温度に基づいて、前記しきい値を設定する設定ステップとを含む光情報再生方法を提案する。
【０００９】
この光情報再生方法によれば、測定された内部温度に基づいて、しきい値が設定されるので、例えば内部温度が高温時に、常温時よりもしきい値を減少することが可能となる。
【００１０】
また、本発明は前記目的を達成するために、前記光情報再生装置を備えるビデオカメラを提案する。
【００１１】
このヒデオカメラによれば、測定された内部温度に基づいて、しきい値が設定されるので、例えば内部温度が高温時に、常温時よりもしきい値を減少することが可能となる。
【発明の効果】
【００１２】
本発明によれば、例えば内部温度が高温時に、常温時よりもしきい値を減少することが可能となる。これにより、内部温度が高温時に、常温時よりも長く読取部を停止することができ、高温時における消費電力を低減し、内部温度を常温時よりも低下させることができるから、高温時における再生情報の品質低下を防ぐことができる。
【発明を実施するための最良の形態】
【００１３】
以下、図面を参照しながら本発明の一実施の形態を詳述する。
【００１４】
まず、図１を用いて本発明に係るビデオカメラの構成を説明する。図１は、本発明に係るビデオカメラの全体構成を説明する概略構成図である。
【００１５】
ビデオカメラ１は、カメラ部１０と、本発明に係る光情報再生装置であるドライブ部５０とから構成されている。
【００１６】
本体部１０は、入力部２０と、出力部３０と、制御部４０とを備えている。入力部２０は、撮影した映像や集音した音声を映像信号及び音声信号としてビデオカメラ１内に入力するためのものであり、マイク２１と、音声入力回路２２と、レンズ２３と、撮像センサ２４と、映像信号入力回路２５とを備えている。
【００１７】
マイク２１は外部の音声を集音し、音声入力回路２２はマイク２１によって集音された音声を音声信号に変換し、後述する出力部３０に出力している。
【００１８】
レンズ２３は後述するレンズ位置制御回路４１によって駆動され、ＣＣＤ（Charge Coupled Device）やＣＭＯＳ（Complementary MOS）等から構成される撮像センサ２４は、レンズ２３を介して撮像センサ２４上に合焦された映像を電気信号に変換している。映像信号入力回路２５は、撮像センサ２４によって変換された電気信号をさらに映像信号に変換し、後述する出力部３０に出力している。なお、ビデオカメラ１の外部から音声信号及び／又は映像信号を入力可能な外部入力端子を設け、入力された音声信号及び／又は映像信号を後述する出力部３０に出力するようにしてもよい。
【００１９】
出力部３０は、入力部２０から入力された音声信号及び映像信号を外部、もしくは後述するドライブ部５０に出力し、又は後述する光ディスクドライブ５０に入力される情報を外部に出力するためものである。出力部３０は、圧縮／伸張処理回路３１と、音声出力回路３２と、スピーカ３３と、映像出力回路３４と、モニタ３５とを備えている。
【００２０】
圧縮／伸張処理回路３１は、入力部２０から入力される音声信号及び映像信号を圧縮して音声データ及び画像データに変換し、記録データとして出力している。また、圧縮／伸張処理回路３１は、後述するドライブ部５０から入力される再生データを伸張し、音声信号及び映像信号に変換している。なお、圧縮／伸張処理の方式としては、例えばＭＰＥＧ（Moving Picture Experts Group）やＪＰＥＧ（Joint Photographic Experts Group）等を用いることができる。
【００２１】
入力部２０から入力された音声信号と圧縮／伸張処理回路３１によって伸張された音声信号とは、音声出力回路３２を介してスピーカ３３から音声として出力されている。また、入力部２０から入力された画像信号と圧縮／伸張処理回路３１によって伸張された映像信号とは、映像出力回路３４を介してＬＣＤ（Liquid Crystal Display）等で構成されるモニタ３５に映像として表示されている。なお、ビデオカメラ１の外部に音声信号及び／又は映像信号を出力可能な外部出力端子を設け、音声信号及び／又は映像信号をビデオカメラ１の外部に出力するようにしてもよい。また、ＨＤＭＩ（High Definition Multimedia Interface）端子等のデジタル映像／音声入出力端子を設けて、圧縮／伸張処理回路３１によって圧縮された音声データ及び画像データをビデオカメラ１の外部に出力するようにしてもよい。
【００２２】
制御部４０は、レンズ位置制御回路４１と、操作部４２と、カメラバッファ４３と、インターフェース回路４４と、カメラコントローラ４５とを備えている。
【００２３】
レンズ位置制御回路４１は、後述するカメラコントローラ４５からの制御信号に基づいて、レンズ２３を駆動している。操作部４２は、ビデオカメラ1の利用者によって操作される操作ボタンやタッチパネル等から構成されており、操作データを後述するカメラコントローラ４５に出力している。
【００２４】
カメラバッファ４３は、ＤＲＡＭ（Dynamic RAM）などで構成されるバッファメモリであり、圧縮／伸張処理回路３１によって圧縮された記録データを一時的に記憶している。また、カメラバッファ４３は、インターフェース回路４４を介して後述するドライブ部５０から入力される再生データを一時的に記憶している。
【００２５】
インターフェース回路４４は、後述するドライブ部５０と通信するためのものであり、例えばＡＴＡＰＩ（ATA Packet Interface）規格が用いられ、制御信号及び各種データを送受信している。
【００２６】
カメラコントローラ４５は、カメラ部１０全体を制御するためのものであり、操作部４２から入力されるデータに基づいてレンズ位置制御回路に制御信号を出力している。また、カメラコントローラ４５は、撮影した映像信号及び集音した音声信号をドライブ部５０に記録するときに、圧縮／伸張処理回路３１及びカメラバッファ４３に制御信号を出力し、圧縮／伸張処理回路３１が音声信号及び映像信号を圧縮して音声データ及び映像データに変換し、圧縮／伸張処理回路３１から出力される記録データをカメラバッファ４３に一時的に記憶するように制御している。さらに、カメラコントローラ４５は、後述するドライブ部５０に光ディスクＡに記録された情報を再生するときに、圧縮／伸張処理回路３１及びカメラバッファ４３に制御信号を出力し、ドライブ部５０から送信される再生データをカメラバッファ４３に一時的に記憶し、カメラバッファ４３から圧縮／伸張処理回路３１に出力して再生データを伸張するように制御している。
【００２７】
ドライブ部５０は、光ディスクＡに情報を記録し、又は光ディスクＡに記録された情報を再生するためのものであり、信号処理回路５１と、ドライブバッファ５２と、サーボ制御回路５３と、スピンドルモータ５４と、ピックアップ５５と、スライダモータ５６、記録／再生回路５７と、温度センサ５８と、ドライブコントローラ５９とから構成されている。
【００２８】
信号処理回路５１は、インターフェース回路４４を介して送信される記録データを後述するドライブバッファ５２に出力するととともに、送信される制御信号を後述するドライブコントローラ５９に出力している。また、信号処理回路５１は、後述するドライブバッファ５２に一時的に記憶された記録データを光ディスクＡのフォーマットに基づいて記録信号に変換し、後述する記録／再生回路５７に出力している。さらに、信号処理回路５１は、後述する記録／再生回路５７から入力される再生信号を、光ディスクＡのフォーマットに基づいて再生データに変換し、カメラ部１０のインターフェース回路４４に送信している。
【００２９】
ドライブバッファ５２は、ＤＲＡＭなどで構成されるバッファメモリであり、インターフェース回路４４から信号処理回路５１を介して入力される記録データを一時的に記憶している。また、ドライブバッファ５２は、信号処理回路５１によって変換された再生データを一時的に記憶している。
【００３０】
サーボ制御回路５３は、後述するドライブコントローラ５９からの制御信号に基づいて動作しており、ドライブ部５０内に装填された光ディスクＡを回転させるスピンドルモータ５４を駆動している。また、サーボ制御回路５３は、ピックアップ５５内のレーザダイオード（図示せず）の発光と、レンズアクチュエータ（図示せず）を駆動してピックアップ５５から光ディスクＡへのレーザ光のフォーカス及びトラッキングとを制御している。さらに、サーボ制御回路５３は、スライダモータ５６を駆動し、ピックアップ５５を所望の位置、例えば光ディスクＡ上の記録位置や再生位置に移動させるメカ制御を行っている。
【００３１】
記録／再生回路５７は、光ディスクＡに情報を記録するときに、信号処理回路５１から入力される記録信号に応じてピックアップ５５内のレーザダイオード（図示せず）の発光パワーを可変する制御信号をピックアップ５５に出力し、光ディスクＡ上に所望の情報を記録している。また、光ディスクＡ上の記録情報を再生するときに、光ディスクＡ上の記録情報による反射光の強弱がピックアップ５５の光電変換素子（図示せず）によって検出され、電気信号が出力され、記録／再生回路５７は、この電気信号を増幅等して再生信号に変換し、信号処理回路５１に出力している。
【００３２】
温度センサ５８は、ドライブ部５０の内部温度を測定するためのものであり、測定した内部温度を内部温度データに変換して後述するドライブコントローラ５９に出力している。なお、温度センサ５８は、ピックアップ５５の近傍に設けることが好ましい。このように、高温時における再生情報の品質低下に与える影響が最も大きいピックアップ５５の近傍に、温度センサ５８を設けることにより、内部温度の上昇による再生情報の品質低下を未然に防ぐことが可能となる。
【００３３】
ドライブコントローラ５９は、ドライブ部５０全体を制御するためのものである。ドライブコントローラ５９は、インターフェース回路４４及び信号処理回路５１を介して入力されるカメラコントローラ４５からの制御信号と、温度センサ５８から入力される内部温度データとに基づいて、サーボ制御回路５３を駆動し、又は停止するように制御している。
【００３４】
次に、図２乃至図５を参照して光ディスク上の記録情報の再生に係る動作について説明する。
【００３５】
図２は、光ディスク上の記録情報を再生するときの間欠駆動を説明するタイミングチャートである。光ディスクＡに記録された情報を再生する場合、ドライブコントローラ５９は、カメラコントローラ４５から受信した制御信号に基づいて、サーボ制御回路５３を駆動し、図２に示すように、サーボ制御回路５３はアクティブ状態（ＡＣＴＩＶＥ）になる。これとともに、光ディスクＡ上の記録情報がピックアップ５５によって読み取られ、ドライブ部５０から送信される再生データがカメラバッファ４３に蓄えられる。時間Ｔ１までは、サーボ制御回路５３及びサーボ駆動回路５３に駆動される各部が稼働しているため、発熱量が増加してドライブ部５０の内部温度は上昇する。
【００３６】
次に、カメラバッファ４３に蓄えられた再生データの情報量が所定値、例えばメモリ容量の８０パーセントに達すると、カメラコントローラ４５は、カメラバッファ４３に蓄えられた再生データの情報量がしきい値（以下、バッファマージンという）以上、例えばメモリ容量の３０パーセント以上の間、カメラバッファ４３内の再生データを読み出して圧縮/伸張回路３１に出力するとともに、ドライブコントローラ５９に制御信号を送信し、ドライブコントローラ５９はサーボ制御回路５３を停止し、サーボ制御回路５３はストップ状態（ＳＴＯＰ）になる。時間Ｔ１−Ｔ２間においては、カメラバッファ４３の再生データが読み出されることでカメラバッファ４３内の情報量は減少し、サーボ制御回路５３及びサーボ駆動回路５３に駆動される各部を停止することで、発熱量が減少してドライブ部５０の内部温度は低下する。
【００３７】
次に、カメラバッファ４３に蓄えられた再生データの情報量がバッファマージン未満、例えばメモリ容量の３０パーセント未満になると、カメラコントローラ４５は、ドライブコントローラ５９に制御信号を送信し、ドライブコントローラ５９はサーボ制御回路５３を駆動し、サーボ制御回路５３は再びアクティブ状態になる。これとともに、再び光ディスクＡに記録された情報がピックアップ５５によって読み取られ、ドライブ部５０から送信される再生データがカメラバッファ４３に蓄えられる。時間Ｔ２−Ｔ３間においては、サーボ制御回路５３及びサーボ駆動回路５３に駆動される各部が稼働しているため、発熱量が増加してドライブ部５０の内部温度は再び上昇する。
【００３８】
以後、光ディスクＡに記録された情報の再生を完了するまで、時間Ｔ１−Ｔ３間の状態が繰り返される。
【００３９】
図３は、カメラバッファのバッファマージンの設定に係る動作を説明するフローチャートである。図３に示すように、ドライブ部５０内に光ディスクＡが装填されると（Ｓ１０１）、ドライブコントローラ５９は、光ディスクＡの再生準備を行う（Ｓ１０２）。再生準備としては、例えばＤＶＤディスクやブルーレイディスク等の光ディスクＡの種類や記録フォーマットの識別、及び記録情報の情報量の検出等を行う。
【００４０】
次に、操作部４２を介して光ディスクＡに記録された情報の再生が選択されると、カメラコントローラ４５は、ドライブコントローラ５９に再生開始の制御信号を送信し、前述の間欠駆動による再生を開始する（Ｓ１０３）。
【００４１】
ドライブコントローラ５９は、サーボ制御回路５３を駆動する前述の間欠駆動と並行して、温度センサ５８によって内部温度を測定する（Ｓ１０４）。
【００４２】
次に、ドライブコントローラ５９は、測定した内部温度に基づいて、カメラバッファ４３のバッファマージンを設定してカメラコントローラ４５に送信する（Ｓ１０５）。これにより、例えば内部温度が高温時に、常温時よりもカメラバッファ４３のバッファマージンを減少することが可能となる。
【００４３】
ここで、ドライブコントローラ５９がカメラバッファ４３のバッファマージンを設定する動作について、図４及び図５を用いて具体的に説明する。図４は、内部温度とカメラバッファのバッファマージンとの関係を示す表である。
【００４４】
ドライブコントローラ５９は、図４に示す表を自己のメモリ（図示せず）内に記憶しており、ドライブコントローラ５９は、温度センサ５８が測定した内部温度が４０度（℃）未満のときに、カメラバッファ４３のバッファマージンを３０パーセント（％）に設定し、温度センサ５８が測定した内部温度が７０度（℃）以上のときに、カメラバッファ４３のバッファマージンを５パーセント（％）に設定する。本実施形態では、内部温度に基づいて、カメラバッファ４３のバッファマージンを段階的に設定するようにしたが、これに限定されず、無段階に設定するようにしてもよい。
【００４５】
図５は、光ディスク上の記録情報を再生するときの間欠駆動を説明するタイミングチャートである。温度センサ５８が測定した内部温度が４０度（℃）未満のときの間欠駆動が図２のようである場合、温度センサ５８が測定した内部温度が７０度（℃）以上のときの間欠駆動は図５のようになる。
【００４６】
図５に示すように、カメラバッファ４３のバッファマージンを５パーセント（％）に設定することで、カメラコントローラ４５がカメラバッファ４３内の再生データを読み出して圧縮/伸張回路３１に出力する時間が、カメラバッファ４３のバッファマージンを３０パーセント（％）に設定するときよりも長くなり、時間Ｔ１’−Ｔ２’間が図２における時間Ｔ１−Ｔ２間より長くなる（Ｔ１’ −Ｔ２’＞Ｔ１−Ｔ２）。一方、ドライブコントローラ５９がサーボ制御回路５３を駆動し、サーボ制御回路５３は再びアクティブ状態になる時間が、カメラバッファ４３のバッファマージンを３０パーセント（％）に設定するときよりも長くなり、時間Ｔ２’−Ｔ３’間も図２における時間Ｔ２−Ｔ３間より長くなる（Ｔ２’ −Ｔ３’＞Ｔ２−Ｔ３）。
【００４７】
一般に、カメラバッファ４３から再生データを読み出すデータレートより、カメラバッファ４３に再生データを蓄えるデータレートの方が高いので、時間Ｔ１’−Ｔ２’間の増加分（ΔＴ１’−Ｔ２’）の方が時間Ｔ２’−Ｔ３’間の増加分（ΔＴ２’−Ｔ３’）より大きくなる（ΔＴ１’−Ｔ２’＞ΔＴ２’−Ｔ３’）。よって、サーボ制御回路５３の動作状態において、アクティブ状態（ＡＣＴＩＶＥ）よりもストップ状態（ＳＴＯＰ）の割合が高くなり、カメラバッファ４３のバッファマージンを５パーセント（％）に設定することで、３０パーセント（％）に設定するときよりもドライブ部５０の内部温度は低下する。
【００４８】
次に、ドライブコントローラ５９は、カメラコントローラ４５から再生終了の制御信号を受信したか否かを判定し（Ｓ１０６）、カメラコントローラ４５から再生終了の制御信号を受信した場合は、ドライブコントローラ５９は処理を終了する。カメラコントローラ４５から再生終了の制御信号を受信していない場合はＳ１０４に戻り、ドライブコントローラ５９は、再生終了の制御信号を受信するまで、取得した内部温度に基づいてカメラバッファ４３のバッファマージンを再度設定する。
【００４９】
すなわち、例えば温度センサ５８が測定した内部温度が７０度（℃）以上から６５度（℃）に低下したときに、ドライブコントローラ５９は、カメラバッファ４３のバッファマージンを５パーセント（％）から１０パーセント（％）に増加する。これにより、カメラバッファ４３のバッファマージンを設定したときより内部温度が低下したときに、設定したカメラバッファ４３のバッファマージンを増加することができる。また、例えば温度センサ５８が測定した内部温度が６５度（℃）から７０度（℃）以上に上昇したときに、ドライブコントローラ５９は、カメラバッファ４３のバッファマージンを１０パーセント（％）から５パーセント（％）に減少する。これにより、カメラバッファ４３のバッファマージンを設定したときより内部温度が上昇したときに、設定したカメラバッファ４３のバッファマージンを減少することができる。
【００５０】
本実施形態では、内部温度に基づいて、カメラバッファ４３のバッファマージンを設定するようにしたが、これに限定されず、カメラバッファ４３に代えて、ドライブバッファ５２のバッファマージンを設定するようにしてもよい。また、カメラ部１０にカメラコントローラ４５を設け、ドライブ部５０にドライブコントローラ５９を設け、カメラコントローラ４５とドライブコントローラ５９とが制御信号を送受信するようにしたが、これに限定されず、何れか一方のみを設けるようにしてもよいし、カメラコントローラ４５及びドライブコントローラ５９をそれぞれ複数のコントローラで構成するようにしてもよい。
【００５１】
このように、本発明によれば、温度センサ５８によって測定された内部温度に基づいて、カメラバッファ４３のバッファマージンが設定されるので、例えば内部温度が高温時に、常温時よりもカメラバッファ４３のバッファマージンを減少することが可能となる。これにより、内部温度が高温時に、常温時よりも長くサーボ制御回路５３を停止することができ、高温時における消費電力を低減し、内部温度を常温時よりも低下させることができるから、高温時における再生情報の品質低下を防ぐことができる。
また、温度センサ５８によって測定された内部温度が所定温度以上のときに、設定したカメラバッファ４３のバッファマージンが減少するので、カメラバッファ４３のバッファマージンを設定したときより内部温度が上昇したときに、設定したカメラバッファ４３のバッファマージンを減少することができる。これにより、常温時カメラバッファ４３のバッファマージンを設定したときよりも長くサーボ制御回路５３を停止することができ、内部温度が上昇傾向にあるときに消費電力を更に低減し、内部温度を更に低下させることができるから、高温時における再生情報の品質低下を防ぐことができる。
また、温度センサ５８によって測定された内部温度が所定温度未満のときに、設定したカメラバッファ４３のバッファマージンが増加するので、カメラバッファ４３のバッファマージンを設定したときより内部温度が低下したときに、設定したカメラバッファ４３のバッファマージンを増加することができる。これにより、内部温度が低下傾向にあるときにカメラバッファ４３のバッファマージンを元に戻し、読み取りエラーが発生して再生情報が途切れた場合でも、より安全に連続再生をすることができる。
【００５２】
なお、本発明の構成は、前記実施形態にのみ限定されるものではなく、本発明の要旨を逸脱しない範囲内において種々変更を加えてもよい。
【図面の簡単な説明】
【００５３】
【図１】本発明に係るビデオカメラの全体構成を説明する概略構成図である。
【図２】光ディスク上の記録情報を再生するときの間欠駆動を説明するタイミングチャートである。
【図３】カメラバッファのバッファマージンの設定に係る動作を説明するフローチャートである。
【図４】内部温度とカメラバッファのバッファマージンとの関係を示す表である。
【図５】光ディスク上の記録情報を再生するときの間欠駆動を説明するタイミングチャートである。
【符号の説明】
【００５４】
４３…カメラバッファ、５３…サーバ制御回路、５５…ピックアップ、５８…温度センサ、５９…ドライブコントローラ、Ａ…光ディスク。
【図１】
2009266307.tif 000003
【図２】
2009266307.tif 000004
【図３】
2009266307.tif 000005
【図４】
2009266307.tif 000006
【図５】
2009266307.tif 000007